(57)【要約】  【課題】  放電ランプの破裂音を外部に洩れ難くでき、しかも、凹面反射鏡の冷却効果を高めることができるランプ装置を提供する。  【解決手段】  放電ランプ１と、該放電ランプ１がその内側に配される凹面反射鏡２と、該凹面反射鏡２を被覆して保持する密閉構造の内ハウジング体３と、該内ハウジング体３を被覆し、凹面反射鏡２の開放側に配された外気取入口４２及び凹面反射鏡２の底側に配された排気口４３を有する非密閉構造の外ハウジング体４と、内ハウジング体３内に配され、該内ハウジング体３内に空気流を発生させる第１ファン５と、排気口４３に配され、外気取入口４２から外ハウジング体４内に取入れた外気を排気口４３から排気する第２ファン６とを備える構成とした。【選択図】      図１
2006080044.tif 000002
【特許請求の範囲】
【請求項１】
放電ランプと、該放電ランプがその内側に配される凹面反射鏡と、該凹面反射鏡を被覆するハウジングとを備えたランプ装置において、前記ハウジングは前記凹面反射鏡を保持する内ハウジング体と、該内ハウジング体を被覆する外ハウジング体とを有しており、前記内ハウジング体内及び前記外ハウジング体内に空気流を発生させる空気流発生手段を備えることを特徴とするランプ装置。
【請求項２】
前記内ハウジング体は密閉構造を有し、前記外ハウジング体は貫通孔を有しており、前記空気流発生手段は、前記内ハウジング体内に配される第１ファンと、前記外ハウジング体内の空気を前記貫通孔から排気する第２ファンとを有する請求項１記載のランプ装置。
【請求項３】
前記凹面反射鏡は、該凹面反射鏡の内側を前記内ハウジング体内に連通させる複数の連通孔を有する請求項１又は２記載のランプ装置。
【請求項４】
前記貫通孔は、前記凹面反射鏡の周縁側に配された外気取入口と前記凹面反射鏡の中心部側に配された排気口とを有する請求項２又は３記載のランプ装置。
【請求項５】
前記内ハウジング体及び／又は外ハウジング体は、前記空気流発生手段が発生させる空気流を案内する複数の案内フィンを有する請求項１乃至４のいずれか一つに記載のランプ装置。
【請求項６】
前記内ハウジング体及び／又は外ハウジング体は、前記空気流発生手段が発生させる空気流を整流する整流板を有する請求項１乃至５のいずれか一つに記載のランプ装置。
【発明の詳細な説明】
【技術分野】
【０００１】
本発明は放電ランプを有するランプ装置に関する。
【背景技術】
【０００２】
プロジェクタ（画像投影装置）、照明器具等の光源として使用されるランプ装置は、放電ランプと、該放電ランプがその内側に配される凹面反射鏡と、該凹面反射鏡の周縁部と対向する透光部を有し、前記凹面反射鏡を被覆するハウジングとを備えている（例えば、特許文献１、２）。
【０００３】
大画面映像が得られるプロジェクタの光源として、高輝度が得られる高圧放電ランプを有するランプ装置を使用すると、点灯時における高圧放電ランプの内圧が高くなるため、放電ランプが破裂することがあり、また、放電ランプが破裂したときには、破裂音が外部に洩れるため、特許文献１では、ハウジングを密閉構造とし、該ハウジング内における凹面反射鏡の中心部側に空気循環ファンを配し、さらにハウジングの一側部外側に冷却機構及び／又は放熱機構を付設してハウジング内の温度上昇、ひいては放電ランプの温度上昇を抑制するように構成されている。
【０００４】
また、特許文献２では、ハウジングを密閉構造とし、放電ランプの基部にヒートシンクを設けたり、ハウジングの後側外部に冷却用対流装置を付設したりすることにより、ハウジング内の温度上昇、ひいては放電ランプの温度上昇を抑制するように構成されている。
【特許文献１】実開平２−１１３７３１号公報
【特許文献２】特開２００２−７５０１４号公報
【発明の開示】
【発明が解決しようとする課題】
【０００５】
ところが、特許文献１のように密閉構造とした一つのハウジング内に空気循環ファンが配された構成にあっては、ハウジングの一側部外側に付設された冷却機構及び／又は放熱機構によりハウジングの一側部が冷却され、また、空気循環ファンによりハウジング内の空気が循環するだけであるため、ハウジング内全体の冷却効果を高め難いという問題がある。また、冷却効果を高めるべくハウジングに貫通孔を設けると、放電ランプが破裂したときに発生する破裂音が貫通孔から外部に漏れるという問題がある。
【０００６】
また、特許文献２のように密閉構造とした一つのハウジング内にヒートシンクが配されたり、ハウジングの後部に冷却用対流装置が付設された構成にあっても特許文献１と同じような問題がある。
【０００７】
本発明は斯かる事情に鑑みてなされたものであり、主たる目的は凹面反射鏡を保持し、該凹面反射鏡を被覆する内ハウジング体と、該内ハウジング体を被覆する外ハウジング体とを備え、前記内ハウジング体内及び前記外ハウジング体内に空気流を発生させる空気流発生手段を設けることにより、放電ランプの破裂音を外部に洩れ難くでき、しかも、凹面反射鏡の冷却効果を高めることができるランプ装置を提供することにある。
【０００８】
また、他の目的は内ハウジング体を密閉構造とし、該内ハウジング体内に第１ファンを配し、外ハウジング体に貫通孔を設け、該外ハウジング体内の空気を前記貫通孔から排気する第２ファンを設けることにより、内ハウジング体内の空気流を速くすることができ、さらに、外ハウジング体内の空気を貫通孔から排気することができるランプ装置を提供することにある。
【０００９】
また、他の目的は凹面反射鏡の内側を内ハウジング体内に連通させる複数の連通孔を凹面反射鏡に設けることにより、凹面反射鏡内及び内ハウジング体内の空気を空気流により流動させつつ循環させることができ、放電ランプの冷却効果を高めることができるランプ装置を提供することにある。
【００１０】
また、他の目的は貫通孔を凹面反射鏡の周縁側に配された外気取入口と凹面反射鏡の中心部側に配された排気口とを有する構成とすることにより、外ハウジング体内の空気を外気と迅速に入替えることができるランプ装置を提供することにある。
【００１１】
また、他の目的は内ハウジング体及び／又は外ハウジング体に、空気流発生手段が発生させた空気流を案内する複数の案内フィンを設けることにより、案内フィンから放熱することができ、この放熱により加熱された空気を、空気流発生手段が発生させた空気流により案内フィンに沿って流動させることができるランプ装置を提供することにある。
【００１２】
また、他の目的は空気流発生手段が発生させる空気流を整流する整流板を設けることにより、内ハウジング体及び／又は外ハウジング体内の空気が淀むのを少なくすることができるランプ装置を提供することにある。
【課題を解決するための手段】
【００１３】
本発明に係るランプ装置は、放電ランプと、該放電ランプがその内側に配される凹面反射鏡と、該凹面反射鏡を被覆するハウジングとを備えたランプ装置において、前記ハウジングは前記凹面反射鏡を保持する内ハウジング体と、該内ハウジング体を被覆する外ハウジング体とを有しており、前記内ハウジング体内及び前記外ハウジング体内に空気流を発生させる空気流発生手段を備えることを特徴とする。
【００１４】
この発明にあっては、内ハウジング体と外ハウジング体とにより凹面反射鏡を二段階で被覆するため、内ハウジング体内で発生する放電ランプの破裂音を内ハウジング体で遮ることができ、さらに、内ハウジング体から洩れる音を外ハウジング体で遮ることができるため、放電ランプの破裂音を外部に洩れ難くできる。また、内ハウジング体及び外ハウジング体内のそれぞれに内部空気流を発生させるため、内ハウジング体内の空気流により凹面反射鏡の温度上昇を抑制でき、さらに、外ハウジング体内の空気流により内ハウジング体の温度上昇を抑制でき、凹面反射鏡の冷却効果を高めることができる。
【００１５】
また、本発明に係るランプ装置は、前記内ハウジング体は密閉構造を有し、前記外ハウジング体は貫通孔を有しており、前記空気流発生手段は、前記内ハウジング体内に配される第１ファンと、前記外ハウジング体内の空気を前記貫通孔から排気する第２ファンとを有することを特徴とする。
【００１６】
この発明にあっては、内ハウジング体内に配されたファンにより、内ハウジング体内の空気流を速くすることができ、内ハウジング体内での冷却効果を高めることができ、さらに、外ハウジング体内に空気流を発生させるファンが、外部の空気を貫通孔から外ハウジング体内に導入し、外ハウジング体内の空気を前記貫通孔から排気することができるため、内ハウジング体の温度上昇をより一層抑制できる。また、内ハウジング体は密閉構造を有するため、放電ランプの破裂音を外部により一層洩れ難くできる。
【００１７】
また、本発明に係るランプ装置は、前記凹面反射鏡は、該凹面反射鏡の内側を前記内ハウジング体内に連通させる複数の連通孔を有することを特徴とする。
【００１８】
この発明にあっては、第１ファンが発生する空気流を前記連通孔の一つから凹面反射鏡の内側に導入し、さらに、凹面反射鏡の内側の空気を前記連通孔の他の一つから内ハウジング体内に排出させることができ、凹面反射鏡の内側及び内ハウジング体内の空気を前記空気流により流動させつつ循環させることができるため、凹面反射鏡の内側の温度上昇を抑制でき、放電ランプの冷却効果を高めることができる。
【００１９】
また、本発明に係るランプ装置は、前記貫通孔は、前記凹面反射鏡の周縁側に配された外気取入口と前記凹面反射鏡の中心部側に配された排気口とを有することを特徴とする。
【００２０】
この発明にあっては、凹面反射鏡の周縁側及び中心部側に離隔して外気取入口と排気口とが配されており、外ハウジング体内の空気を外気と迅速に入替えることができるため、内ハウジング体の温度上昇をより一層抑制できる。
【００２１】
本発明に係るランプ装置は、前記内ハウジング体及び／又は外ハウジング体は、前記空気流発生手段が発生させる空気流を案内する複数の案内フィンを有することを特徴とする。
【００２２】
この発明にあっては、内ハウジング体内の温度により加熱される内ハウジング体の熱及び／又は外ハウジング体内の温度により加熱される外ハウジング体の熱を案内フィンから放熱することができ、しかも、この放熱により加熱される空気を、空気流発生手段が発生させた空気流により案内フィンに沿って流動させることができるため、内ハウジング体及び／又は外ハウジング体内の温度上昇をさらに抑制できる。
【００２３】
また、本発明に係るランプ装置は、前記内ハウジング体及び／又は外ハウジング体は、前記空気流発生手段が発生させる空気流を整流する整流板を有することを特徴とする。
【００２４】
この発明にあっては、空気流発生手段が内ハウジング体及び／又は外ハウジング体内で発生させた空気流を整流板により整流して流動させることができるため、内ハウジング体及び／又は外ハウジング体内の空気が淀むのを少なくすることができ、内ハウジング体及び／又は外ハウジング体内の温度上昇をさらに抑制できる。
【発明の効果】
【００２５】
本発明によれば、内ハウジング体内で発生する放電ランプの破裂音を内ハウジング体で遮ることができ、さらに、内ハウジング体から洩れる音を外ハウジング体で遮ることができ、放電ランプの破裂音を外部に洩れ難くできる。しかも、内ハウジング体内の空気流により凹面反射鏡の温度上昇を抑制でき、さらに、外ハウジング体内の空気流により内ハウジング体の温度上昇を抑制でき、凹面反射鏡の冷却効果を高めることができる。
【００２６】
また、本発明によれば、内ハウジング体内での冷却効果を高めることができ、さらに、外部の空気を貫通孔から外ハウジング体内に導入し、外ハウジング体内の空気を貫通孔から排気することができ、内ハウジング体の温度上昇をより一層抑制できるのであり、しかも、放電ランプの破裂音を外部により一層洩れ難くできる。
【００２７】
また、発明によれば、凹面反射鏡内及び内ハウジング体内の空気を空気流により流動させつつ循環させることができるため、凹面反射鏡内の温度上昇を抑制でき、放電ランプの冷却効果を高めることができる。
【００２８】
また、本発明によれば、外ハウジング体内の空気を外気と迅速に入替えることができ、内ハウジング体の温度上昇をより一層抑制できる。
【００２９】
また、本発明によれば、内ハウジング体の温度及び／又は外ハウジング体の温度を案内フィンから放熱することができ、しかも、この放熱により加熱された空気を、空気流発生手段が発生させた空気流により案内フィンに沿って流動させることができ、内ハウジング体及び／又は外ハウジング体内の温度上昇をさらに抑制できる。
【００３０】
また、本発明によれば、内ハウジング体及び／又は外ハウジング体内の空気が淀むのを少なくすることができ、内ハウジング体及び／又は外ハウジング体内の温度上昇をさらに抑制できる。
【発明を実施するための最良の形態】
【００３１】
以下本発明をその実施の形態を示す図面に基づいて詳述する。
実施の形態１
図１は本発明に係るランプ装置の実施の形態１のレイアウト構成を示す模式的縦断側面図である。
このランプ装置は放電により発光する発光部１ａを有する放電ランプ１と、該放電ランプ１がその内側に配される円錐ホーン形の凹面反射鏡２と、該凹面反射鏡２の周縁部と対向する前壁３ａに透光部３１が設けられた密閉構造を有し、凹面反射鏡２を被覆する内ハウジング体３と、該内ハウジング体３を被覆する外ハウジング体４と、内ハウジング体３内に配置され、該内ハウジング体３内に空気流を発生させる第１ファン５と、外ハウジング体４内に空気流を発生させる第２ファン６とを備える。第１ファン５及び第２ファン６は図示しない電動モータの出力軸に連動連結されており、第１ファン５及び第２ファン６が空気流発生手段を構成している。
【００３２】
放電ランプ１は略円筒形をなしており、中央部に設けられた発光部１ａの内部に、水銀を主成分とする発光物質が封入された放電空間と、該放電空間に離隔して対向配置された一対の電極とを有しており、該電極に接続されるリード線により電源に繋がる。また、放電ランプ１の基部は凹面反射鏡２の周縁と反対側に穿設された嵌合孔２ａに嵌合固定されている。
【００３３】
凹面反射鏡２は、周縁部が透光部３１と対向する位置で周縁部を内ハウジング体３の前壁３ａに取着しており、周縁部近傍の複数の周方向位置に凹面反射鏡２の内側を内ハウジング体３内に連通させる連通孔２１が設けられている。
【００３４】
内ハウジング体３は、その中央部に透光材からなる透光部３１が設けられた前壁３ａと、該前壁３ａの外周部に連なる周壁３ｂと、該周壁３ｂの後端部に連なる後壁３ｃとを有しており、凹面反射鏡２の外面との間に適宜の空間ができる大きさに形成されている。また、周壁３ｂの内部及び後壁３ｃの内部には複数の第１フィン３２が、また、周壁３ｂの外部及び後壁３ｃの外部には複数の第２フィン３３がそれぞれ一体に突設されており、また、凹面反射鏡２の上部と周壁３ｂの上部との間の空間にその回転軸線が前後方向となる第１ファン５を配してある。
【００３５】
外ハウジング体４は、その中央部に透光部３１に対応する窓孔４１が設けられた前壁４ａと、該前壁４ａの外周部に連なり、その前端部に複数の外気取入口４２が設けられた周壁４ｂと、該周壁４ｂの後端部に連なり、その中央部に排気口４３が設けられた後壁４ｃとを有しており、内ハウジング体３の外面との間に適宜の空間ができる大きさに形成されている。排気口４３には、その回転軸線が前後方向となる第２ファン６を配している。尚、外気取入口４２及び排気口４３が、外ハウジング体４を非密閉にするための貫通孔を構成している。
【００３６】
以上のように構成されたランプ装置は、プロジェクタ、照明器具等の光源として使用されるのであり、プロジェクタ等の機器内に組込まれる。使用時には第１ファン５及び第２ファン６が駆動される。第１ファン５の駆動により、内ハウジング体３内に空気流が発生し、該空気流により内ハウジング体３内の空気と、内ハウジング体３内に連通孔２１を介して連通する凹面反射鏡２の内側の空気とが流動しつつ循環する。この空気の循環により、凹面反射鏡２の内側の放電ランプ１、及び凹面反射鏡２を冷却することができる。
【００３７】
また、内ハウジング体３の内部には第１フィン３２が設けられているため、内ハウジング体３の熱を第１フィン３２にて放熱することができ、この放熱により熱交換された内ハウジング体３内の空気を第１ファン５により循環させることができるため、内ハウジング体３の温度上昇をより一層抑制できる。
【００３８】
また、第２ファン６の駆動により、外ハウジング体４内に空気流が発生し、該空気流により外気取入口４２から外ハウジング体４内に外気が取入れられ、外ハウジング体４内の空気が排気口４３から外部へ排気される。この空気の排気により外ハウジング体４内の内ハウジング体３を冷却することができる。このように内ハウジング体３を冷却することができるため、内ハウジング体３の温度上昇を抑制でき、内ハウジング体３内の凹面反射鏡２の温度上昇を抑制でき、さらに放電ランプ１の温度上昇を抑制できる。
【００３９】
また、内ハウジング体３の外部には第２フィン３３が設けられているため、内ハウジング体３の熱を第２フィン３３にて放熱することができ、この放熱により熱交換された外ハウジング体４内の空気を第２ファン６により排気できるため、内ハウジング体３の温度上昇をより一層抑制できる。
【００４０】
実施の形態２
図２は実施の形態２のレイアウト構成を示す模式的縦断側面図、図３は案内フィンの構成を示す模式的背面図である。実施の形態２のランプ装置は、内ハウジング体３の周壁３ｂの内部及び後壁３ｃの内部に、第１ファン５が発生させる空気流を該空気流の流動方向へ案内する複数の第１の案内フィン３４を一体に設け、さらに、内ハウジング体３の周壁３ｂの外部及び後壁の外部に、第２ファン６が発生させる空気流を該空気流の流動方向へ案内する複数の第２の案内フィン３５を一体に設けたものである。
【００４１】
実施の形態２にあっては、内ハウジング体３の熱を第１及び第２の案内フィン３４，３５にて放熱することができ、さらに、この放熱により熱交換された内ハウジング体３内の空気を第１の案内フィン３４に沿って流動させることができ、また、外ハウジング体４の熱を第２の案内フィン３５にて放熱することができ、さらに、この放熱により熱交換された外ハウジング体４内の空気を第２の案内フィン３５に沿って流動させることができるため、内ハウジング体３及び外ハウジング体４内の温度上昇をさらに抑制できる。
【００４２】
実施の形態３
図４は実施の形態３のレイアウト構成を示す模式的縦断側面図である。実施の形態３のランプ装置は、内ハウジング体３内に、第１ファン５が発生させる空気流を整流する第１の整流板７を設け、外ハウジング体４内に、第２ファン６が発生させる空気流を整流する第２の整流板８を設けたものである。
【００４３】
実施の形態３にあっては、第１ファン５が発生させる空気流を整流して循環させることができ、また、第２ファン６が発生させる空気流を第１及び第２の整流板７，８により整流して排気することができるため、内ハウジング体３及び外ハウジング体４内の空気が淀むのを少なくすることができ、内ハウジング体３及び外ハウジング体４内の温度上昇をさらに抑制できる。
【００４４】
尚、以上説明した実施の形態では、内ハウジング体３内と、外ハウジング体４内とに整流板７，８を設けたが、その他、内ハウジング体３及び外ハウジング体４自体が整流板７，８を兼ねる形状となるように構成してもよい。また、以上説明した実施の形態では外ハウジング体４に外気取入口４２と排気口４３とからなる貫通孔を設けたが、その他、例えば外気取入口４２をなくし、後壁４ｃの排気口４３からなる一つの貫通孔とし、この貫通孔の一部から外気を取入れ、貫通孔の他の一部から外ハウジング体４内の空気を排気するように構成してもよい。
【図面の簡単な説明】
【００４５】
【図１】本発明に係るランプ装置の実施の形態１のレイアウト構成を示す模式的縦断側面図である。
【図２】本発明に係るランプ装置の実施の形態２のレイアウト構成を示す模式的縦断側面図である。
【図３】本発明に係るランプ装置の案内フィンの構成を示す模式的背面図である。
【図４】本発明に係るランプ装置の実施の形態３のレイアウト構成を示す模式的縦断側面図である。
【符号の説明】
【００４６】
１    放電ランプ
２    凹面反射鏡
２１  連通孔
３    内ハウジング体（ハウジング）
３４  案内フィン
３５  案内フィン
４    外ハウジング体（ハウジング）
４２  外気取入口（貫通孔）
４３  排気口（貫通孔）
５    第１ファン（空気流発生手段）
６    第２ファン（空気流発生手段）
７    整流板
８    整流板
【図１】
2006080044.tif 000003
【図２】
2006080044.tif 000004
【図３】
2006080044.tif 000005
【図４】
2006080044.tif 000006